(57)【要約】【課題】本発明は、光ピックアップ２０の構成を簡易にすることができる。【解決手段】本発明は、使用される第１レーザダイオードチップ２１Ａ及び第２レーザダイオードチップ２１Ｂから、ＤＶＤ用光ビームＬｄ及びＢＤ用光ビームＬｂを平行に、かつ第１対物レンズ３０Ａの中心ＣＡから第２対物レンズＣＢまでのレンズ間隔Ｄだけ離して出射するようにすると共に、偏光ビームスプリッタ２３によって反射光ビームの光路を合成して１つのフォトディテクタ３２で当該反射光ビームを受光するようにする。【選択図】図３
2008159113.tif 000002
【特許請求の範囲】
【請求項１】
第１の光ディスクに対応した第１の光ビームを第１の発光点から出射する第１の光源と、
第２の光ディスクに対応した第２の光ビームを第２の発光点から出射する第２の光源と、
上記第１の光ビームを集光して上記第１の光ディスクに照射する第１の対物レンズと、上記第２の光ビームを集光して上記第２の光ディスクに照射する第２の対物レンズとを有する対物レンズユニットと
を具え、
上記第１及び第２の光源は、
上記第１及び第２の光ビームが平行になるように出射すると共に、上記第１発光点から第２の発光点までの間隔が、上記第１の対物レンズの中心から上記第２の対物レンズの中心までの間隔と一致するように設定されている
ことを特徴とする光ピックアップ。
【請求項２】
上記第１及び第２の光ビームを受光する受光部と、
上記第１及び第２の光ディスクで反射されてなる第１及び第２の反射光ビームのうち、少なくとも一方を偏向させて上記受光部に導く光学素子と
を具えることを特徴とする請求項１に記載の光ピックアップ。
【請求項３】
上記第１及び第２の光源は、
一体化されたパッケージレーザダイオードとして構成されている
ことを特徴とする請求項１に記載の光ピックアップ。
【請求項４】
上記第１の光ビームを平行光に変換する第１のコリメータレンズと、
光学領域とならない周縁部が、上記第１のコリメータレンズにおける周縁部と重なるように配置され、上記第２の光ビームを平行光に変換する第２のコリメータレンズと
を具えることを特徴とする請求項１に記載の光ピックアップ。
【請求項５】
上記第１及び第２のコリメータレンズは、
一体化されたコリメータレンズユニットとして形成され、上記第１又は第２の光ディスクに対する再生又は記録処理、若しくは上記第１又は第２の光ディスクの記録層数に応じて上記第１の光ビームの光束方向に駆動する
ことを特徴とする請求項１に記載の光ピックアップ。
【請求項６】
上記パッケージ光源と上記対物レンズユニットとの間に、上記第１の光ビームを上記光ディスクに記録された記録情報を読み取るためのメインビームとトラッキング制御のためのサブビームとに分離する第１の回折領域と、上記第２の光ビームを上記メインビームと上記サブビームとに分離する第２の回折領域とを有する回折素子
を具えることを特徴とする請求項１に記載の光ピックアップ。
【請求項７】
上記光学素子は、
第１及び第２の偏光面を有する１つ又は２つの偏光ビームスプリッタでなり、上記第１及び第２の偏光面が平行にかつ上記第１及び第２の偏光面の中心と上記受光部の中心とがほぼ一直線上に並ぶように配置されることにより、上記第１及び第２の反射光ビームを反射することによってその光路を合成し、上記第１及び第２の反射光ビームを上記受光部に導く
ことを特徴とする請求項２に記載の光ピックアップ。
【請求項８】
上記光学素子は、
上記第１及び第２の光ビーム並びに上記第１及び第２の反射光ビームを所定の比率で透過及び反射する透過反射面を有する無偏光ビームスプリッタと楔形プリズムとでなり、
上記楔形プリズムは、上記第１又は第２の反射光ビームを偏向させることにより、偏向させた上記第１又は第２の反射光ビームを上記受光部に導く
ことを特徴とする請求項２に記載の光ピックアップ。
【請求項９】
第１の光ディスクに対応した第１の光ビームを第１の発光点から出射する第１の光源と、
第２の光ディスクに対応した第２の光ビームを第２の発光点から出射する第２の光源と、
上記第１の光ビームを集光して上記第１の光ディスクに照射する第１の対物レンズと、上記第２の光ビームを集光して上記第２の光ディスクに照射する第２の対物レンズとを有する対物レンズユニットと
を具え、
上記第１及び第２の光源は、
上記第１及び第２の光ビームが平行になるように出射すると共に、上記第１発光点から第２の発光点までの間隔が、上記第１の対物レンズの中心から上記第２の対物レンズの中心までの間隔と一致するように設定されている
ことを特徴とする光ディスク装置。
【発明の詳細な説明】
【技術分野】
【０００１】
本発明は、光ピックアップ及び光ディスク装置に関し、例えば複数方式の光ディスクに対応した光ディスク装置に適用して好適なものである。
【背景技術】
【０００２】
従来、光ディスク装置では、例えばＣＤ（Compact Disc）、ＤＶＤ（Digital Versatile Disc）及びＢＤ（Blu-ray Disc）の３方式のいずれにも対応するようになされたものがある。このような光ディスク装置における光ピックアップとして、ＣＤ用及びＤＶＤ用のレーザダイオード、並びにＢＤ用のレーザダイオードとして、少なくとも２つのレーザダイオードからそれぞれレーザ光を発射し、対応する２つの対物レンズでそれぞれ集光して光ディスクに照射するようになされたものがある。
【０００３】
図１に示すように、このような光ピックアップＲ２０は、光ビームとして、レーザダイオード１ＡからＣＤ／ＤＶＤ用レーザ光を出射する一方、レーザダイオード１ＢからＢＤ用レーザ光をＣＤ／ＤＶＤ用レーザ光と直交する方向から出射し、それぞれの光路上に配置された回折素子２Ａ又は２Ｂ、及びコリメータレンズ３Ａ又は３Ｂを介して光ビームをビームスプリッタ４に入射する。ビームスプリッタ４は、これら光ビームの光路を合成し、偏光ビームスプリッタ５を介してビームスプリッタ６に入射する。
【０００４】
ビームスプリッタ６は、ＣＤ／ＤＶＤ用レーザ光を反射する一方、ＢＤ用レーザ光を透過させてこれらの光路を分離し、ＣＤ／ＤＶＤ用レーザ光のみを１／４波長板７Ａを介して対物レンズ８Ａに入射させると共に、ＢＤ用レーザ光を立上プリズム９及び１／４波長板７Ｂとを介して対物レンズ８Ｂに入射させる。そして対物レンズ８Ａ及び８Ｂは、入射されたレーザ光を集光して光ディスク１００に照射する。
【０００５】
また、光ピックアップＲ２０は、光ディスク１００によって反射されてなる反射光ビームを光ビームとは逆の光路を辿らせてビームスプリッタ６に入射する。ビームスプリッタ６は、ＣＤ／ＤＶＤ用レーザ光を反射する一方、ＢＤ用レーザ光を透過させることによりこれらの光路を合成し、偏光ビームスプリッタ５に入射する。そして偏光ビームスプリッタ５は、マルチレンズＲ３１を介して反射光ビームをフォトディテクタＲ３２に入射するようになされている（例えば、特許文献１参照）。
【特許文献１】特開２００６−２４３３３公報
【発明の開示】
【発明が解決しようとする課題】
【０００６】
ところでかかる構成の光ピックアップにおいては、ＣＤ／ＤＶＤ用レーザ光及びＢＤ用レーザ光の光路を合成及び分離するためのビームスプリッタ４及びビームスプリッタ６が必要となり、光路上の光学部品の点数が増大し、構成が複雑になるという問題があった。
【０００７】
本発明は以上の点を考慮してなされたもので、簡易な構成でなる光ピックアップ及び光ディスク装置を提案しようとするものである。
【課題を解決するための手段】
【０００８】
かかる課題を解決するため本発明においては、第１の光ディスクに対応した第１のレーザ光を第１の発光点から出射する第１のレーザダイオードと、第２の光ディスクに対応した第２のレーザ光を第２の発光点から出射する第２のレーザダイオードと、第１のレーザ光を集光して第１の光ディスクに照射する第１の対物レンズと、第２のレーザ光を集光して第２の光ディスクに照射する第２の対物レンズとを有する対物レンズユニットとを設け、第１及び第２のレーザダイオードは、第１及び第２のレーザ光が平行になるように出射すると共に、第１発光点から第２の発光点までの間隔が、第１の対物レンズの中心から第２の対物レンズの中心までの間隔と一致するように設定されているようにした。
【０００９】
これにより、第１及び第２のレーザ光を平行な状態のまま第１及び第２の対物レンズに導くことができるため、第１及び第２のレーザ光の光路を合成及び分離するための光学部品を省略し、光学部品の点数を減少させることができる。
【発明の効果】
【００１０】
本発明によれば、第１及び第２のレーザ光を平行な状態のまま第１及び第２の対物レンズに導くことができるため、第１及び第２のレーザ光の光路を合成及び分離するための光学部品を省略し、光学部品の点数を減少させることができ、かくして簡易な構成でなる光ピックアップ及び光ディスク装置を実現できる。
【発明を実施するための最良の形態】
【００１１】
以下、図面について、本発明の一実施の形態を詳述する。
【００１２】
（１）全体構成
（１−１）光ディスク装置の構成
図２において、１０は光ディスク装置を示しており、ＣＤ（Compact Disc）方式、ＤＶＤ（Digital Versatile Disc）方式又はＢＤ（Blu-ray Disc、登録商標）方式といった３方式のいずれかでなる光ディスク１００を再生し得るようになされている。
【００１３】
この光ディスク装置１０は、制御部１２によって全体を統括制御するようになされており、光ディスク１００が装填された状態で、図示しない外部機器からの再生指示等を受け付けると、当該制御部１２から駆動部１３及び信号処理部１４を制御することにより当該光ディスク１００に記録された記録情報を読み出すようになされている。
【００１４】
実際上、駆動部１３は、制御部１２の制御に基づき、スピンドルモータ１５により光ディスク１００を所望の回転速度で回転させ、スレッドモータ１６により光ピックアップ２０を光ディスク１００の径方向であるトラッキング方向に伸びるガイド軸１７に沿って大きく移動させ、さらに２軸アクチュエータ１８により対物レンズユニット３０を光ディスク１００に対して近接又は離隔させる方向であるフォーカス方向及びトラッキング方向の２方向へそれぞれ細かく移動させる。
【００１５】
光ピックアップ２０はいわゆる３波長対応型となっており、再生及び記録処理の際、対物レンズユニット３０から、ＣＤ方式でなる光ディスク１００（以下、これをＣＤ方式ディスク１００ｃと呼ぶ）に対して波長約７８０［ｎｍ］の光ビームを照射し、またＤＶＤ方式でなる光ディスク１００（以下、これをＤＶＤ方式ディスク１００ｄと呼ぶ）に対して波長約６５０［ｎｍ］の光ビームを照射し、さらにＢＤ方式でなる光ディスク１００（以下、これをＢＤ方式ディスク１００ｂと呼ぶ）に対して波長約４０５［ｎｍ］の光ビームを照射する。
【００１６】
光ピックアップ２０では、再生処理の際、光ディスク１００に照射した光ビームが反射されてなる反射光ビームを受光し、その光量に応じた受光信号を信号処理部１４へ送出する。信号処理部１４は、受光信号を基に、光ビームの所望のトラックに対する照射位置のずれ量に応じたトラッキングエラー信号と光ディスク１００の情報記録層に対する光ビームの焦点のずれ量に応じたフォーカスエラー信号とを生成してこれらを駆動部１３及び制御部１２へ送出すると共に、当該受光信号を基に再生ＲＦ信号を生成し、外部機器（図示せず）へ送出する。
【００１７】
駆動部１３は、トラッキングエラー信号及びフォーカスエラー信号に基づいてトラッキング駆動電流、フォーカス駆動電流を生成し、これらを２軸アクチュエータ１８へ送出する。これに応じて２軸アクチュエータ１８は、対物レンズユニット３０をトラッキング方向及びフォーカス方向の２方向へ駆動させることにより、光ビームの焦点を光ディスク１００の所望のトラックに合致させる。
【００１８】
また制御部１２は、記録処理の際、光ディスク１００の情報記録層にデータを記録する箇所を指定するためのアドレス情報と共に、データ書込命令を駆動部１３へ送出する。
【００１９】
さらに制御部１２は、外部機器（図示せず）等から入力された書込データを駆動部１３へ送出する。また駆動部１３は、供給されたアドレス情報に基づき光ピックアップ２０の位置を制御する。
【００２０】
これに応じて光ピックアップ２０は、再生処理と同様に光ディスク１００の情報記録層におけるアドレス情報に応じたトラックに光ビームの焦点を合わせ、レーザドライバ２２の制御により、データの記録に適した強度に調整された光ビームを照射することにより、当該光ディスク１００に書込データを記録情報として記録していく。
【００２１】
このように光ディスク装置１は、ＣＤ方式、ＤＶＤ方式、又はＢＤ方式でなる光ディスク１００に対してそれぞれの方式に適した光ビームを照射することにより、当該光ディスク１００に対する再生及び記録処理を実行するようになされている。
【００２２】
（１−２）光ピックアップの構成
（１−２−１）光ビームの光路
図３に示すように、光ピックアップ２０は、光ビームの光源として、ＣＤ方式に対応する波長約７８０［ｎｍ］でなる光ビーム（以下、これをＣＤ用光ビームＬｃと呼ぶ）及びＤＶＤ方式に対応する波長約６５０［ｎｍ］でなる光ビーム（以下、これをＤＶＤ用光ビームＬｄと呼ぶ）を出射し得る第１レーザダイオードチップ２１Ａと、ＢＤ方式に対応する波長約４０５［ｎｍ］でなる光ビーム（以下、これをＢＤ用光ビームＬｂと呼ぶ）を出射し得る第２レーザダイオードチップ２１Ｂとを、例えば金属製の缶型筐体に封入してなるパッケージＬＤ２１を有している。
【００２３】
なお図３（Ａ）は、光ピックアップ２０を図示しない光ディスク１００側から見下ろした状態を示しており、紙面手前側に光ディスク１００が載置される。また図３（Ｂ）は、側面側から見たときの光ピックアップ２０を示しており、説明の便宜上、マルチレンズ３１及びフォトディテクタ３２などの一部の光学部品を省略して示している。
【００２４】
本実施の形態の光ピックアップ２０では、第１レーザダイオードチップ２１Ａの発光点２１Ｄａ及び第２レーザダイオードチップ２１Ｂの発光点２１Ｄｂの間隔（以下、これを発光点間隔と呼ぶ）を第１対物レンズ３０Ａ及び第２対物レンズ３０Ｂの中心間の間隔（以下、これをレンズ間隔と呼ぶ）Ｄと一致させることにより、第１レーザダイオードチップ２１Ａ及び第２レーザダイオードチップ２１Ｂから平行に光ビームを発射すると共に、第１照射光路９１及び第２照射光路９２の光路が平行なまま光ビームを第１対物レンズ３０Ａ及び第２対物レンズ３０Ｂにそれぞれ入射するようになされている。
【００２５】
具体的に光ピックアップ２０は、光ディスク１００としてＣＤ方式ディスク１００ｃ又はＤＶＤ方式ディスク１００ｄが装填されている場合、第１レーザダイオードチップ２１ＡからＣＤ用光ビームＬｃ又はＤＶＤ用光ビームＬｄをＰ偏光でなる光ビームとして出射して第１照射光路９１上に配置された回折素子２２の第１回折領域２２Ａに入射する。
【００２６】
第１回折領域２２Ａは、光ビームとしてＣＤ用光ビームＬｃが入射された場合には、光ビームをＣＤ方式ディスク１００ｃに記録された記録情報を読み取るためのメインビーム及びトラッキング制御のためのサブビームに分離し、このメインビーム及びサブビームを光ビームとして偏光ビームスプリッタ２３に入射する。一方第１回折領域２２Ａは、光ビームとしてＤＶＤ用光ビームＬｃが入射された場合には、光ビームを回折することなく偏光ビームスプリッタ２３に入射する。
【００２７】
偏光ビームスプリッタ２３は、偏光面２３Ａに入射されたＰ偏光の光ビームをその偏向方向に基づいてそのまま透過させ、可動コリメータユニット２４における第１コリメータレンズ２４Ａに入射する。第１コリメータレンズ２４Ａは、発散光でなる光ビームを平行光に変換し、立上プリズム２５（図３（Ｂ））に入射する。
【００２８】
立上プリズム２５は、光ビームが第１対物レンズ３０Ａに対して垂直になるようにその方向を９０°偏向させ、１／４波長板２６に入射する。１／４波長板２６は、Ｐ偏光でなる光ビームを円偏光へ変換し、対物レンズユニット３０における第１対物レンズ３０Ａ（図３（Ａ））に入射する。そして第１対物レンズ３０Ａは、光ビームを集光して光ディスク１００に照射する。
【００２９】
また光ピックアップ２０は、光ディスク１００に照射されたＣＤ用光ビームＬｃ又はＤＶＤ用光ビームＬｄが光ディスク１００で反射されてなる反射光ビームを第１対物レンズ３０Ａによって受光し、そのまま光ビームとは逆向きに第１照射光路９１を辿らせ、１／４波長板２６に入射する。
【００３０】
１／４波長板２６（図３（Ｂ））は、円偏光でなる反射光ビームをＳ偏光へ変換し、立上プリズム２５及び第１コリメータレンズ２４Ａ（図３（Ａ））を介して偏光ビームスプリッタ２３へ入射する。偏光ビームスプリッタ２３は、Ｓ偏光でなる反射光ビームを偏光面２３Ａで反射させると共に偏光ビームスプリッタ２３Ｂを透過させ、受光光路９３上に配置された収差を補正するマルチレンズ３１を介してフォトディテクタ３２に入射する。
【００３１】
一方光ピックアップ２０は、光ディスク１００としてＢＤ方式ディスク１００ｂが装填されている場合、第２レーザダイオードチップ２１ＢからＢＤ用光ビームＬｂを出射し、第１照射光路９１と平行な第２照射光路９２上に配置された回折素子２２の第２回折領域２２Ｂに入射する。
【００３２】
第２回折領域２２Ｂは、光ビームとして入射されたＢＤ用光ビームＬｃをメインビーム及びサブビームに分離し、これらを光ビームとして偏光ビームスプリッタ２３に入射する。
【００３３】
偏光ビームスプリッタ２３は、偏光面２３Ｂに入射されたＰ偏光の光ビームをその偏光方向に基づいてそのまま透過させ、可動コリメータユニット２４における第２コリメータレンズ２４Ｂに入射する。第２コリメータレンズ２４Ｂは、発散光でなる光ビームを平行光に変換し、立上プリズム２５（図３（Ｂ））に入射する。
【００３４】
立上プリズム２５は、光ビームが第１対物レンズ３０Ａに対して垂直になるようにその方向を９０°偏向させ、１／４波長板２６に入射する。１／４波長板２６は、Ｐ偏光でなる光ビームを円偏光へ変換し、対物レンズユニット３０における第２対物レンズ３０Ｂ（図３（Ａ））に入射する。そして第２対物レンズ３０Ｂは、光ビームを集光して光ディスク１００に照射する。
【００３５】
また光ピックアップ２０は、光ディスク１００に照射されたＢＤ用光ビームＬｂが光ディスク１００で反射されてなる反射光ビームを第２対物レンズ３０Ｂによって受光し、そのまま光ビームとは逆向きに第２照射光路９２を辿らせ、１／４波長板２６（図３（Ｂ））に入射する。
【００３６】
１／４波長板２６は、円偏光でなる反射光ビームをＳ偏光へ変換し、立上プリズム２５及び第２コリメータレンズ２４Ｂ（図３（Ａ））を介して偏光ビームスプリッタ２３へ入射する。偏光ビームスプリッタ２３は、Ｓ偏光でなる反射光ビームを偏光面２３Ｂで反射させ、受光光路９３上のマルチレンズ３１を介してフォトディテクタ３２に入射する。
【００３７】
フォトディテクタ３２は、光ビームの受光量に応じて受光信号を生成し、これを信号処理部１４に送出する。
【００３８】
このように光ピックアップ２０は、光ビームが第１レーザダイオードチップ２１Ａによって出射されてから第１対物レンズ３０Ａに入射されるまでに光ビームが通過する第１照射光路９１と、光ビームが第２レーザダイオードチップ２１Ｂによって出射されてから第２対物レンズ３０Ｂに入射されるまでに光ビームが通過する第２照射光路９２とを平行にすると共に、偏光ビームスプリッタ２３によって第１照射光路９１及び第２照射光路を光ビームとは逆向きに辿る反射光ビームが当該光ビームとは分離されてからフォトディテクタ３２に導かれるまでの受光光路９３を全ての反射光ビームに対して共通化している。
【００３９】
これにより光ピックアップ２０は、従来の光ピックアップＲ２０と同様に受光光路９３を共通化した上で、従来の光ピックアップＲ２０とは異なり光ビームの光路を合成及び分離するための光学部品が不要となるため、光ピックアップ２０全体として光学部品の点数を減少させることができ、構成を簡易にし得るようになされている。
【００４０】
（１−２−２）対物レンズのレンズ間隔と発光点間隔
上述したように、光ピックアップ２０は、第１対物レンズ３０Ａ及び第２対物レンズ３０Ｂのレンズ間隔Ｄと第１レーザダイオードチップ２１Ａ及び第２レーザダイオードチップ２１Ｂの発光点間隔とを一致させるようになされている。
【００４１】
図４に示すように、対物レンズユニット３０は、第２対物レンズ３０Ｂを光ディスク１００の半径上にある第２移動軸線ＭＬｂ上に配置し、第１対物レンズ３０Ａを当該第２移動軸線ＭＬｂと平行な第１移動軸線ＭＬａ上に配置することにより、第１対物レンズ３０Ａ及び第２対物レンズ３０Ｂを光ディスク１００の半径方向に垂直なラジアル方向に並列に配置する。
【００４２】
この第２移動軸線ＭＬｂ上では、トラックは常に第２移動軸線ＭＬｂと垂直に交差するため、第２対物レンズ３０Ｂから見たトラックピッチは光ディスク１００の内周側及び外周側で常に一定である。
【００４３】
しかしながら、第１移動軸線ＭＬａ上ではトラックの位置に応じてトラックとの成す角度が変化するため、第１対物レンズ３０Ａから見たトラックピッチは光ディスク１００の内周側及び外周側で変化してしまい、これに起因してトラッキングエラー信号に誤差を生じさせることになる。
【００４４】
このトラッキングエラー信号の誤差は第１移動軸線ＭＬａから第２移動軸線ＭＬｂまでの距離、すなわち第１対物レンズ３０Ａの中心ＣＡから及び第２対物レンズ３０Ｂの中心ＣＢまでのレンズ間隔Ｄに応じて大きくなることから、光ピックアップ２０では、レンズ間隔Ｄをできるだけ小さく設定することが要求される。実際上、第１対物レンズ３０Ａ及び第２対物レンズ３０Ｂの口径から、レンズ間隔Ｄを約４[ｍｍ]に設定することが望ましい。
【００４５】
ここで従来の光ピックアップでは、独立した２つのレーザダイオードＲ２１Ａ及びＲ２１Ｂが使用され、直径ｄ１＝３．２[ｍｍ]でなるレーザダイオードＲ２１Ａと、直径ｄ２＝５．６[ｍｍ]でなるレーザダイオードＲ２１Ｂが使用されることが多い。
【００４６】
本実施の形態の光ピックアップ２０に対してこの従来のレーザダイオードＲ２１Ａ及びＲ２１Ｂを用いた光ピックアップＲ２０を示す図５のように、それぞれの中心に光ビームを発光する発光点Ｒ２１Ｄａ及びＲ２１Ｄｂが存在するため、レーザダイオードＲ２１Ａ及びＲ２１Ｂを並列に配置した場合には、発光点Ｒ２１Ａ及びＲ２１Ｂの間隔を直径ｄ１とｄ２との合計の約１／２（約４．４[ｍｍ]）よりも小さく設定することが物理的に不可能である。
【００４７】
従って従来のレーザダイオードＲ２１Ａ及びＲ２１Ｂを用いて互いに平行になるように光ビームを出射する場合には、対物レンズ３０Ａ及び３０Ｂを発光点Ｒ２１Ａ及びＲ２１Ｂの間隔に合わせて配置することになり、レンズ間隔Ｄを所望の約４[ｍｍ]に設定することができない。
【００４８】
そこで本実施の形態における光ピックアップ２０では、図６に示すように、第１レーザダイオードチップ２１Ａ及び第２レーザダイオードチップ２１Ｂを、一つのパッケージＬＤ２１として構成するようにした。
【００４９】
パッケージＬＤ２１は、独立したレーザダイオードＲ２１Ａ及びＲ２１Ｂとは異なり、第１レーザダイオードチップ２１Ａ及び第２レーザダイオードチップ２１Ｂを近付けて配置することが可能である。
【００５０】
このためパッケージＬＤ２１は、第１レーザダイオードチップ２１Ａの第１発光点２１Ｄａと第２レーザダイオードチップ２１Ｂの第２発光点２１Ｄｂとの発光点間隔を、理想的なレンズ間隔Ｄと同一の約４[ｍｍ]に設定することが可能になる。
【００５１】
これにより光ピックアップ２０は、第１対物レンズ３０Ａ（図４）を光ディスク１００の半径上にある第２移動軸線ＭＬｂに対して極限まで近接させることができるため、レンズ間隔Ｄに応じてトラッキングエラー信号に発生する誤差を小さくすることができる。また光ピックアップ２０では、第１照射光路９１と第２照射光路９２（図３）を極限まで近接させて、光ピックアップ２０を小型化することができる。
【００５２】
なお、第１発光点２１ＤａはＤＶＤ用光ビームＬｄを発光する発光点であり、第１レーザダイオードチップ２１Ａは、第１発光点２１Ｄａよりも約１２０[μｍ]だけ外側にＣＤ用光ビームＬｃを発光するＣＤ用発光点（図示しない）を有している。
【００５３】
また、第１レーザダイオードチップ２１Ａ及び第２レーザダイオードチップ２１Ｂは、図示しない出射光量検出のためのリアモニタをそれぞれ有している。制御部１２は、このリアモニタにおける受光量に応じて生成された受光信号を、配線２１Ｃを介して取得すると共に、第１レーザダイオードチップ２１Ａ及び第２レーザダイオードチップ２１Ｂから出射される各光ビームが所望の強度になるように、当該受光信号に基づいてパッケージＬＤ２１を制御するようになされている。
【００５４】
（１−２−３）光学部品の一体化
光ピックアップ２０では、上述したように第１照射光路９１及び第２照射光路９２を平行にしていると共に、第１対物レンズ３０Ａ及び第２対物レンズ３０Ｂの口径に応じて第１照射光路９１及び第２照射光路を極限ぎりぎりまで近接させていることにより、第１照射光路９１及び第２照射光路９２上の光学部品を一体化して形成することが可能となると共に、これらの光学部品を極限まで小型化することが可能となる。
【００５５】
図７に示すように回折素子２２は、第１照射光路９１上に配置される第１回折領域２２Ａと第２照射光路９２上に配置される第２回折領域２２Ｂとを有しており、光ビームをメインビームとサブビームとに分離する回折格子（ＣＤ用光ビームＬｃに対応するＣＤ用回折格子、及びＢＤ用光ビームＬｂに対応するＢＤ用回折格子）がそれぞれの領域に形成されている。
【００５６】
光ピックアップ２０は、ＣＤ方式光ディスク１００ｃ及びＢＤ方式光ディスク１００ｂに対する記録及び再生処理の際、光ビームを光ディスクに記録された記録情報を読み取るためのメインビームとトラッキング制御のためのサブビームとに分離して光ディスク１００に照射し、いわゆるＤＰＰ（Differential Push Pull）法を用いて上述したトラッキングエラー信号を生成する。
【００５７】
図８に示すようにＤＰＰ法は、サブビームによるサブスポットＰＢ及びＰＣをメインビームによるメインスポットＰＡから正確に半トラックずつずらして照射する必要がある。このため光ピックアップ２０に回折素子２２を取り付ける際、実際に光ディスク１００に光ビームを照射しながら回折素子２２を回転調整し、サブスポットＰＢ及びＰＣがメインスポットＰＡから正確に半トラックずつずれる角度に正確に回折素子２２を取り付ける必要がある。
【００５８】
ここで回折素子２２は、例えば射出成型により一体形成されており、第１回折領域２２Ａを通過した光ビームによるサブスポットＰＢ及びＰＣが、ＣＤ方式ディスク１００ｃ上でメインスポットＰＡから正確に半トラックずつずれた位置に照射されるとき、第２回折領域２２Ｂを通過した光ビームによるサブスポットＰＢ及びＰＣが、ＢＤ方式ディスク１００ｂ上でメインスポットＰＡから正確に半トラックずつずれるようになされている。したがって、光ピックアップ２０は、第１回折領域２２Ａ及び第２回折領域２２Ｂのうち、一方の回折領域を回転調整させることにより、他方のサブスポットＰＢ及びＰＣの照射位置をも調整することができる。
【００５９】
このため光ピックアップ２０では、回折素子２２の角度を一度だけ回転調整すれば良く、２つの回折素子を別々に設置するため２度の回転調整作業が必要となる従来の方法と比較して、回折素子の回転調整作業を簡易にすることができるようになされている。
【００６０】
なお光ピックアップ２０は、ＤＶＤ方式光ディスク１００ｄに対する再生及び記録処理の際には、光ビームを分離する必要のないＤＰＤ（Differential Phase Detection）法を用いてトラッキングエラー信号を生成している。
【００６１】
図９に示すように可動コリメータユニット２４は、第１照射光路９１上に配置される第１コリメータレンズ２４Ａと、第２照射光路９２上に配置される第２コリメータレンズ２４Ｂとを有している。
【００６２】
可動コリメータユニット２４は、２つのコリメータレンズ（２４Ａ及び２４Ｂ）の光学領域とならない周縁部が光ビームの光束の方向に重なるように配置されているため、従来のコリメータレンズを並列に配置する場合と比較して、周縁部が占めるスペースを約半分に抑制することができ、第１照射光路９１と第２照射光路９２とを限界まで近接させることができる。
【００６３】
第１コリメータレンズ２４Ａ及び第２コリメータレンズ２４Ｂ（図３）は、発散光でなる光ビームを平行光に変換するようになされており、入射されるＣＤ用光ビームＬｃ及びＤＶＤ用光ビームＬｄ、並びにＢＤ用光ビームＬｂの発散角に応じた位置にそれぞれ配置されている。
【００６４】
また可動コリメータユニット２４は、図示しないアクチュエータを有しており、制御部１２による制御によって光ビームの光束の方向に移動することができる。
【００６５】
ここで光ピックアップ２０は、再生又は記録処理に応じて、若しくは光ディスク装置１０に装填される光ディスク１００の情報記録層の層数に応じて、あるいはこれらの両方に応じて光ビームの光強度を変化させる必要がある。
【００６６】
このとき光ピックアップ２０は、パッケージＬＤ２１から出射される光ビームの光強度を大きく低下させるとノイズが増大することから、可動コリメータユニット２４をパッケージＬＤ２１側に駆動して対物レンズユニット３０に入射される光ビームの光量を調整することにより、パッケージＬＤ２１から出射される光ビームの光強度を大きく低下させることなく対物レンズユニット３０に入射される光ビームの光量を低下させることができる。
【００６７】
光ピックアップ２０は、第１コリメータレンズ２４Ａ及び第２コリメータレンズ２４Ｂを一つの可動コリメータユニット２４として駆動すれば良いため、２つのコリメータレンズに対してアクチュエータを一つだけ用いればよく、従来の２つのコリメータレンズに２つのアクチュエータを用いる方法と比較して、構成を簡易にすることができる。
【００６８】
立上プリズム２５は、入射される光ビームの方向を全反射面２５Ａによって偏向させるようになされており、当該全反射面２５Ａが第１照射光路９１及び第２照射光路９２上に跨って配置されている。
【００６９】
また、１／４波長板２６は、ＣＤ用光ビームＬｃ、ＤＶＤ用光ビームＬｄ及びＢＤ用光ビームＬｂの３波長に対応した３波長型の波長板でなり、第１照射光路９１及び第２照射光路９２に跨って配置されている。
【００７０】
光ピックアップ２０は、立上プリズム２５及び１／４波長板２６をそれぞれ一つの光学部品として形成することにより、従来の立上プリズム２５及び１／４波長板２６を２つの光学部品として形成し、第１照射光路９１及び第２照射光路９２にそれぞれ配置する方法と比較して、光学部品の点数を減少させることができ、光学部品を設置する作業を簡易にすることができる。
【００７１】
対物レンズユニット３０は、第１対物レンズ３０Ａが第１照射光路９１上に、第２対物レンズ３０Ｂが第２照射光路９２上になるように配置されており、図示しないアクチュエータによってフォーカス方向及びトラッキング方向に駆動される。
【００７２】
偏光ビームスプリッタ２３は、偏光面２３Ａ及び２３Ｂが平行に、かつ偏光面２３Ａ及び２３Ｂの中心とフォトディテクタ３２との中心がほぼ一直線になるように配置されている。このため偏光ビームスプリッタ２３は、Ｓ偏光でなる反射光ビームを反射してその方向を変化させることにより、ＣＤ用光ビームＬｃ、ＤＶＤ用光ビームＬｄ及びＢＤ用光ビームＬｂでなる反射光ビームのいずれをも、受光光路９３上にある収差を補正するマルチレンズ３１を介してフォトディテクタ３２に入射する。
【００７３】
このとき偏光ビームスプリッタ２３は、第１照射光路及び第２照射光路９２から反射光ビームを分離するのと同時に、第１照射光路及び第２照射光路９２を光ビームとは逆向きに辿る反射光ビームの光路を一つの受光光路９３に合成することができるため、従来の反射光ビームの分離と光ビームの光路の合成とを別々の光学素子を用いて行う方法と比較して、光学部品の点数を減少させることができる。
【００７４】
また光ピックアップ２０では、２つの偏光面２３Ａ及び２３Ｂを一つの偏光ビームスプリッタ２３に形成したことにより、従来の２つの偏光ビームスプリッタを設置する比較して、偏光ビームスプリッタ２３を構成するプリズム部品の点数を減少させることができると共に、偏光ビームスプリッタ２３の設置作業を簡易にすることができる。
【００７５】
（２）動作及び効果
以上の構成において、光ピックアップ２０は、第１のレーザ光であるＤＶＤ用光ビームＬｄを第１発光点２１Ｄａから発光する第１レーザダイオードチップ２１Ａと、第２のレーザ光であるＢＤ用光ビームを第２発光点２１Ｄｂから発光する第２レーザダイオードチップ２１Ｂとにおける発光点間隔を、ＤＶＤ用光ビームＬｄを集光する第１対物レンズ３０Ａの中心ＣＡ及びＢＤ用光ビームＬｂを集光する第２対物レンズ３０Ｂの中心ＣＢの間隔であるレンズ間隔Ｄと一致させるようにした。
【００７６】
これにより光ピックアップ２０は、互いに平行に出射されたＤＶＤ用光ビームＬｄ及びＢＤ用光ビームＬｂを平行な状態のまま第１対物レンズ３０Ａ及び第２対物レンズ３０Ｂにそれぞれ入射することができるため、ＤＶＤ用光ビームＬｄが入射される第１照射光路９１及びＢＤ用光ビームＬｂが入射される第２照射光路９２を全域に渡って平行にすることができる。
【００７７】
この結果光ピックアップ２０は、ＤＶＤ用光ビームＬｄ及びＢＤ用光ビームＬｂが出射されてから第１対物レンズ３０Ａ及び第２対物レンズ３０Ｂに入射されるまでの間に、第１照射光路９１と第２照射光路９２との間隔（すなわちＤＶＤ用光ビームＬｄの光軸とＢＤ用光ビームＬｂの光軸との間隔）をレンズ間隔Ｄに合わせるための光学部品が不要となり、光学部品のトータル数を減少させることができるため、光ピックアップ２０の構成を簡易にすることができる。
【００７８】
また光ピックアップ２０は、第１照射光路９１及び第２照射光路９２上の光学部品を一体化して形成することができるため、光学部品の点数を減少させることができ、設置作業を容易にすることができる。
【００７９】
これに加えて光ピックアップ２０は、第１のレーザダイオードである第１レーザダイオードチップ２１Ａと、第２のレーザダイオードである第２レーザダイオードチップ２１Ｂとを、パッケージレーザダイオードであるパッケージＬＤ２１として構成するようにした。
【００８０】
これにより光ピックアップ２０は、第１発光点２１Ｄａと第２発光点２１Ｄｂとの間隔を、従来の独立した２つのレーザダイオードＲ２１Ａ及びＲ２１Ｂを用いる方法と比較して小さくすることができ、ＤＶＤ用光ビームＬｄを集光して光ディスク１００に照射する第１対物レンズ３０ＡとＣＤ用光ビームＬｂを集光して光ディスク１００に照射する第２対物レンズ３０Ｂとのレンズ間隔Ｄと同一に設定することが可能となる。
【００８１】
さらに光ピックアップ２０は、第１照射光路９１及び第２照射光路９２を第１対物レンズ３０Ａ及び第２対物レンズの口径（すなわちＤＶＤ用光ビームＬｄ及びＢＤ用光ビームＬｂの使用領域の径）に応じて限界ぎりぎりまで近づけることができるため、一体化される光学部品を小型化できると共に、光ピックアップ２０全体を小型化することができる。
【００８２】
また光ピックアップ２０は、第１照射光路９１及び第２照射光路９２上に設置される１／４波長板２６や偏光ビームスプリッタ２３などのように、一部部品を共通化したり、可動コリメータユニット２４のように使用するアクチュエータの数を低減させることにより、光学部品の構成を簡易することができる。
【００８３】
以上の構成によれば、光ピックアップ２０において、使用される第１レーザダイオードチップ２１Ａ及び第２レーザダイオードチップ２１Ｂから、ＤＶＤ用光ビームＬｄ及びＢＤ用光ビームＬｂを平行に、かつ第１対物レンズ３０Ａの中心ＣＡから第２対物レンズＣＢまでのレンズ間隔Ｄだけ離して出射するようにすると共に、偏光ビームスプリッタ２３によって反射光ビームの光路を合成して１つのフォトディテクタ３２で当該反射光ビームを受光するようにしたことにより、受光光路９３上の光学部品の構成を維持したまま、照射光路（第１照射光路９１及び第２照射光路９２）上の光学部品の点数を減少させることができ、ピックアップ２０の構成を簡易にすることができる。
【００８４】
（３）他の実施の形態
なお上述の実施の形態においては、本発明を図３に示す光ピックアップ２０に適用するようにした場合について述べたが、本発明はこれに限らず、例えば図１０に示す光ピックアップ５０に適用するようにしても良い。この光ピックアップ５０は、例えば再生処理のみを実行する図示しない光ディスク装置５１に使用される。なお、光ディスク装置５１の構成は光ディスク装置１０（図２）と同一である。
【００８５】
この光ピックアップ５０は、光ピックアップ２０における偏向ビームスプリッタ２３の代わりに無偏光型のビームスプリッタ５２及び楔形プリズム５３を用いる。ビームスプリッタ５１は、平板上に透過反射面５２Ａが形成されてなり、入射される光ビーム（ＣＤ用光ビームＬｃ、ＤＶＤ用光ビームＬｄ及びＢＤ用光ビームＬｂ）の例えば５０％を反射し、５０％を透過させる。また楔形プリズム５３は、第１レーザダイオードチップから出射されるＣＤ用光ビームＬｃ及びＤＶＤ用光ビームＬｄの光路上に設置されている。
【００８６】
なお光ピックアップ５０では、光ピックアップ２０における可動コリメータユニット２４は、駆動しない第１コリメータレンズ２４Ａ及び第２コリメータレンズ２４Ｂとしてそれぞれ別個に設置されている。同様に光ピックアップ２０における１／４波長板２６はＣＤ用光ビームＬｃ及びＤＶＤ用光ビームＬｄの波長に対応する第１波長板２６Ａ、及びＢＤ用光ビームＬｂに対応する第２波長板２６Ｂとして、それぞれ別個に設置されている。
【００８７】
光ピックアップ５０では、パッケージＬＤ２１から出射された光ビームのうち、約半分をビームスプリッタ５２で反射し、第１又は第２コリメータレンズ２４Ａ、２４Ｂ及び対物レンズユニット３０を介して光ディスク１００に照射する。
【００８８】
対物レンズユニット３０は、反射光ビームを受光して第１又は第２コリメータレンズ２４Ａ、２４Ｂを介してビームスプリッタ５２に入射する。ビームスプリッタ５２は、反射光ビームの約半分を透過させ、透過させた反射光ビームのうち、ＢＤ用光ビームＬｂをそのままフォトディテクタ３２に入射する。
【００８９】
またビームスプリッタ５２は、透過させた反射光ビームのうち、ＣＤ用光ビームＬｃ及びＤＶＤ用光ビームＬｄを楔形プリズム５３に入射する。楔形プリズム５３は、ＣＤ用光ビームＬｃ及びＤＶＤ用光ビームＬｄを偏向させ、フォトディテクタ３２に導くようになされている。
【００９０】
この光ピックアップ５０においても、ＤＶＤ用光ビームＬｄが入射される第１照射光路９１とＢＤ用光ビームＬｂが入射される第２照射光路９２とを全域に渡って平行にすることができるため、上述した第１の実施の形態と同様の効果を得ることができる。
【００９１】
なお、光ピックアップ５０で使用されたビームスプリッタ５２は、偏光ビームスプリッタ２３（図３）と比較して構成が簡易であるため、光ピックアップ５０では、光ピックアップ２０よりもコストダウンを実現することができる。
【００９２】
また上述の実施の形態においては、第１照射光路９１及び第２照射光路９２に配置される光学部品（回折素子２２、偏光ビームスプリッタ２３、コリメータレンズ２４、立上プリズム２５及び１／４波長板２６）を一体的に形成するようにした場合について述べたが、本発明はこれに限らず、光学部品を一体化するか否かは設計に応じて選択することができ、設計に応じて適宜独立した光学部品を使用することができる。
【００９３】
さらに上述の実施の形態においては、フォトディテクタ３２と、少なくとも１つの反射光ビームを偏光させてフォトディテクタ３２へ導く光学素子としての偏光ビームスプリッタ２３とを設けるようにした場合について述べたが、本発明はこれに限らず、例えば２つのフォトディテクタ３２ａ及び３２ｂを設け、ＣＤ用光ビームＬｃ及びＤＶＤ用光ビームＬｄをフォトディテクタ３２ａに導く一方、ＢＤ用光ビームＬｂをフォトディテクタ３２ｂに導くようにしても良い。また、２つの検出領域を有するパッケージ型のフォトディテクタ３２ｃにおける一の検出領域にＣＤ用光ビームＬｃ及びＤＶＤ用光ビームＬｄを導く一方、他の検出領域にＢＤ用光ビームＬｂを導くようにしても良い。
【００９４】
さらに上述の実施の形態においては、第１レーザダイオードチップ２１Ａと、第２レーザダイオードチップ２１ＢとがパッケージＬＤとして一体的に構成されるようにした場合について述べたが、本発明はこれに限らず、レンズ間隔Ｄと発光点間隔が同一であれば良く、例えば筐体の小さい２つのレーザダイオードを組み合わせてレンズ間隔Ｄと発光点間隔を同一にしても、上述した実施の形態と同様の効果を得ることができる。
【００９５】
さらに上述の実施の形態においては、第１コリメータレンズ２４Ａ及び第２コリメータレンズ２４Ｂの周縁部を重ねて配置するようにした場合について述べたが、本発明はこれに限らず、例えば周縁部を非常に小さく形成し、周縁部を重ねずに配置するようにしても良い。
【００９６】
さらに上述の実施の形態においては、ＣＤ方式ディスク１００ｃ、ＤＶＤ方式ディスク１００ｄ及びＢＤ方式ディスク１００ｂに対応する光ピックアップ２０に本発明を適用するようにした場合について述べたが、２つのレーザダイオードが使用されていれば良く、例えばＨＤ-ＤＶＤ（High Density-Digital Versatile Disc、登録商標）方式の光ディスク１００など、種々の方式でなる光ディスク１００に対応する光ピックアップに本発明を適用することができる。
【００９７】
さらに上述の実施の形態においては、第１の光源としての第１レーザダイオードチップ２１Ａと、第２の光源としての第２レーザダイオードチップ２１Ｂと、第１の対物レンズとしての第１対物レンズ３０Ａと、第２の対物レンズとしての第２対物レンズ３０Ｂと、受光部としてのフォトディテクタ３２と、光学素子としての偏光ビームスプリッタ２３とによって光ピックアップとしての光ピックアップ２０を構成するようにした場合について述べたが、本発明はこれに限らず、その他種々の構成でなる第１の光源と、第２の光源と、第１の対物レンズと、第２の対物レンズと、受光部と、光学素子とによって本発明の光ピックアップを構成するようにしても良い。
【産業上の利用可能性】
【００９８】
本発明の光ピックアップは、例えば２以上の方式の光ディスクに対応する種々の光ディスク装置に利用することができる。
【図面の簡単な説明】
【００９９】
【図１】従来の光ピックアップの構成を示す略線図である。
【図２】光ディスク装置の全体構成を示す略線図である。
【図３】本実施の形態による光ピックアップの構成を示す略線図である。
【図４】対物レンズの配置の説明に供する略線図である。
【図５】従来のレーザダイオードと対物レンズの配置の説明に供する略線図である。
【図６】本実施の形態によるレーザダイオードと対物レンズの配置の説明に供する略線図である。
【図７】回折素子の構成を示す略線図である。
【図８】メインビームとサブビームを示す略線図である。
【図９】コリメータレンズの配置を示す略線図である。
【図１０】他の実施の形態による光ピックアップを示す略線図である。
【符号の説明】
【０１００】
１０……光ディスク装置、２０……光ピックアップ、２１……パッケージＬＤ、２１Ａ……第１レーザダイオードチップ、２１Ｂ……第２レーザダイオードチップ、２１Ｄａ……第１発光点、２１Ｄｂ……第２発光点、２２……回折素子、２３……偏光ビームスプリッタ、２４……可動コリメータユニット、２６……１／４波長板、３０……対物レンズユニット、３０Ａ……第１対物レンズ、３０Ｂ……第２対物レンズ、９１……第１照射光路、９２……第２照射光路、９３……受光光路、Ｌｃ……ＣＤ用光ビーム、Ｌｄ……ＤＶＤ用光ビーム、Ｌｂ……ＢＤ用光ビーム。
【図１】
2008159113.tif 000003
【図２】
2008159113.tif 000004
【図３】
2008159113.tif 000005
【図４】
2008159113.tif 000006
【図５】
2008159113.tif 000007
【図６】
2008159113.tif 000008
【図７】
2008159113.tif 000009
【図８】
2008159113.tif 000010
【図９】
2008159113.tif 000011
【図１０】
2008159113.tif 000012